(57)【要約】【課題】ガス開閉弁に閉弁不良の恐れがある場合に給湯運転を確実に停止することが可能な湯沸器を提供する。【解決手段】湯沸器１は、給水管２から供給される水をガスバーナ５により加熱する熱交換器４と、給水管２に設けられた水ガバナ弁１１と、ガス供給管６に設けられたガス開閉弁１６と、ガス供給管６に設けられ、水ガバナ弁１１により開閉される水圧応動弁１７と、ガスバーナ５に点火するためのイグナイタ７と、ガスバーナ５の燃焼炎の有無を検出するフレームロッド８と、イグナイタ７を作動させ、給水管２に通水させて水ガバナ弁１１により水圧応動弁１７を開弁した後、且つガス開閉弁１６を開弁させる前に、フレームロッド８にガスバーナ５の燃焼炎の有無を検出させ、フレームロッド８がガスバーナ５の燃焼炎を検出したとき、水圧応動弁１７を閉弁させるコントローラ９とを備える。【選択図】図１
2010060197.tif 000002
【特許請求の範囲】
【請求項１】
給水管から供給される水をバーナにより加熱する熱交換器と、
前記給水管に設けられた水圧受動部と、
前記バーナへ燃料ガスを供給するガス供給管と、
該ガス供給管に設けられたガス開閉弁と、
前記ガス供給管に設けられ、前記水圧受動部により開閉される水圧応動弁と、
前記バーナに点火するための点火手段と、
前記バーナの燃焼炎の有無を検出する炎検出手段と、
前記点火手段を作動させ、前記給水管に通水させて前記水圧受動部により前記水圧応動弁を開弁した後、且つ前記ガス開閉弁を開弁させる前に、前記炎検出手段にバーナの燃焼炎の有無を検出させ、前記炎検出手段がバーナの燃焼炎を検出したとき、前記給水管への通水を停止させて前記水圧応動弁を閉弁する制御手段とを備えることを特徴とする湯沸器。
【請求項２】
前記制御手段は、前記点火手段を作動させ、且つ前記給水管に通水させて前記水圧受動部により前記水圧応動弁を開弁してから所定時間経過後まで、前記炎検出手段に前記バーナの燃焼炎の有無を検出させ、前記炎検出手段が前記バーナの燃焼炎を検出しなかったとき、前記ガス開閉弁を開弁させることを特徴とする請求項１に記載の湯沸器。
【請求項３】
前記給水管に設けられた止水弁と、
モータの駆動に伴い回動し、前記止水弁及び前記ガス開閉弁を順次開弁させるカムとを備え、
前記制御手段は、前記モータを駆動させ、前記カムを介して、前記止水弁を開弁させることにより前記給水管に通水させて前記水圧応答動弁を開弁すると共に、該水圧応動弁を開弁した前記所定時間後に前記ガス開閉弁を開弁させることを特徴とする請求項２に記載の湯沸器。
【請求項４】
前記制御手段は、前記点火手段を作動させる前に、前記炎検出手段に前記バーナの燃焼炎の有無を検出させ、前記炎検出手段が前記バーナの燃焼炎を検出したとき、前記給水管への通水を停止させて前記水圧応動弁を閉弁することを特徴とする請求項１から３のいずれか１項に記載の湯沸器。
【発明の詳細な説明】
【技術分野】
【０００１】
本発明は、湯沸器に関し、特に、ガス開閉弁に閉弁不良の恐れがある場合に給湯運転を停止することが可能な湯沸器に関する。
【背景技術】
【０００２】
従来、湯沸器は、給水管から供給される水をバーナにより加熱する熱交換器と、給水管に設けられた水圧受動部と、ガスバーナに燃料ガスを供給するガス供給管と、ガス供給管に設けられたガス開閉弁と、ガス供給管に設けられ水圧受動部により開閉される水圧応動弁と、ガスバーナに点火するためのイグナイタと、ガスバーナの燃焼炎の有無を検出するフレームロッドを備えている。このように、ガス開閉弁及び水圧応動弁の２つの弁がガス供給管に設けられており、両方の弁が開弁したときガスバーナに燃料ガスが供給されるようになっている。
【０００３】
そして、ガス開閉弁として、電池駆動のモータによって回動するカムにより開閉動され、その開弁状態がマグネットコイルの電磁力により保持されるものを用いることが多い。このものの場合、マグネットコイルの吸着面に油等が付着すると開弁状態で固着し、カムにより閉動駆動を行っても閉弁しなくなる離脱不良が生じることがある。また、ごみ等の咬み込みによりガス開閉弁が完全に閉弁できなくなることもある。以下、これらを合わせて閉弁不良という。ガス開閉弁に閉弁不良の恐れがある場合、湯沸器の給湯運転を停止し、修理を行う必要がある。
【０００４】
そこで、特許文献１には、ガスバーナの燃焼を禁止する水モードとガスバーナの燃焼を許可する湯モードとを切り替える湯水切替スイッチを有する給湯装置が開示されている。この給湯装置は、停止状態から水モードを設定したとき又は湯モードから水モードに切り替えたときに、イグナイタを作動させ、フレームロッドによりガスバーナの燃焼炎の有無を検出することによって、ガス開閉弁の閉弁不良を検出する。そして、その旨を使用者に報知する。
【０００５】
また、特許文献２には、２つの電磁弁をガス供給管に設けた瞬間湯沸器において、給湯停止時、水流停止を検知した後に、２つの電磁弁を所定の時間間隔をおいて順次閉弁させて、炎検知器によりガスバーナの燃焼炎を検知することにより、電磁弁の閉弁不良を検出することが開示されている。なお、電磁弁の閉弁順序は交互に入れ替えている。
【特許文献１】特開平１１−２２９７０号公報
【特許文献２】特開昭６３−２７３７２７号公報
【発明の開示】
【発明が解決しようとする課題】
【０００６】
しかしながら、特許文献１に開示された給湯装置においては、水モードを使用したときにしか、ガス開閉弁の閉弁不良を検出できない。そのため、冬場のように、水モードを長期間使用しない場合には、ガス開閉弁の閉弁不良が検出できないという問題があった。また、特許文献２に開示された瞬間湯沸器においては、水圧応動弁を用いていない。そして、仮にこの瞬間湯沸器で水圧応動弁を用いた場合、水流が停止すると水圧応動弁が閉弁するので、その後、炎検知器によりガスバーナの燃焼炎を検知しても、電磁弁の閉弁不良を検出することができない。
【０００７】
本発明は、上記事情に鑑み、ガス開閉弁に閉弁不良の恐れがある場合に給湯運転を確実に停止することが可能な湯沸器を提供することを目的とする。
【課題を解決するための手段】
【０００８】
本発明に係る湯沸器は、給水管から供給される水をバーナにより加熱する熱交換器と、前記給水管に設けられた水圧受動部と、前記バーナへ燃料ガスを供給するガス供給管と、該ガス供給管に設けられたガス開閉弁と、前記ガス供給管に設けられ、前記水圧受動部により開閉される水圧応動弁と、前記バーナに点火するための点火手段と、前記バーナの燃焼炎の有無を検出する炎検出手段と、前記点火手段を作動させ、前記給水管に通水させて前記水圧受動部により前記水圧応動弁を開弁した後、且つ前記ガス開閉弁を開弁させる前に、前記炎検出手段にバーナの燃焼炎の有無を検出させ、前記炎検出手段がバーナの燃焼炎を検出したとき、前記給水管への通水を停止させて前記水圧応動弁を閉弁する制御手段とを備えることを特徴とする。
【０００９】
本発明に係る湯沸器は、ガス供給管にガス開閉弁及び水圧応動弁が設けられている。そのため、給水により水圧応動弁を開弁した状態で点火手段を作動させても、ガス開閉弁を開弁させる前は、正常であればガス開閉弁は閉弁しているので、バーナは燃焼せず、炎検出手段はバーナの燃焼炎を検出しない。よって、点火手段を作動させ、水圧応動弁を開弁した後、且つガス開閉弁を開弁する前に、炎検出手段がバーナの燃焼炎を検出したときには、湯沸器に故障があると考えられる。故障要因として、ガス開閉弁が開弁状態となったまま閉じない閉弁不良、もしくは炎検出手段の検出不良が想定されるため、安全の観点から湯沸器の給湯運転を停止することが望ましい。そこで、このような場合に、水圧応動弁を閉弁させ、ガス供給管からバーナへの燃料ガスの供給を停止するので、湯沸器の安全を確実に確保することができる。なお、点火手段の作動と水圧応動弁の開弁とは、そのどちらか一方が先であっても、同時であってもよい。
【００１０】
また、本発明において、前記制御手段は、前記点火手段を作動させ、且つ前記給水管に通水させて前記水圧受動部により前記水圧応動弁を開弁してから所定時間経過後まで、前記炎検出手段に前記バーナの燃焼炎の有無を検出させ、前記炎検出手段が前記バーナの燃焼炎を検出しなかったとき、前記ガス開閉弁を開弁させることが好ましい。
【００１１】
この場合、点火手段を作動させ、水圧応動弁を開弁した後、且つガス開閉弁を開弁させる前に、炎検出手段にバーナの燃焼炎の有無を検出させてから所定時間経過しても、炎検出手段がバーナの燃焼炎を検出しないときには、湯沸器には前記のような故障が無いと考えられる。そのため、このような場合には、ガス開閉弁を開弁させて、自動的に給湯運転を開始することができる。なお、所定時間は、炎検出手段がバーナの燃焼炎を検出可能な時間以上であればよく、短いほうが、素早く給湯運転を開始することができるため好ましい。
【００１２】
また、本発明において、前記給水管に設けられた止水弁と、モータの駆動に伴い回動し、前記止水弁及び前記ガス開閉弁を順次開弁させるカムとを備え、前記制御手段は、前記モータを駆動させ、前記カムを介して、前記止水弁を開弁させることにより前記給水管に通水させて前記水圧応答動弁を開弁すると共に、該水圧応動弁を開弁した前記所定時間後に前記ガス開閉弁を開弁させることが好ましい。
【００１３】
この場合、止水動弁が開弁した後にガス開閉弁を開弁する構成を、モータの駆動に伴い回動するカムを用いて実現している。そして、止水弁が開弁してから水圧応動弁が開弁するまでの時間は一定に定まる。これにより、モータへの通電という１つの出力により、水圧応動弁を開弁した所定時間後にガス開閉弁を開弁させるという２つの弁の開弁制御を、容易に行うことができる。そして、確実に所定時間を設定できるので、確実に異常を検出することが可能となる。
【００１４】
なお、上記のように、点火手段を作動させ、水圧応動弁を開弁した後、且つガス開閉弁を開弁させる前に、炎検出手段がバーナの燃焼炎を検出したとき、湯沸器の故障要因として２つ考えられる。しかし、故障要因を特定したほうが、修理は容易となる。そこで、本発明において、前記制御手段は、前記点火手段を作動させる前に、前記炎検出手段に前記バーナの燃焼炎の有無を検出させ、前記炎検出手段が前記バーナの燃焼炎を検出したとき、前記給水管への通水を停止させて前記水圧応動弁を閉弁することが好ましい。点火手段を作動させる前に、炎検出手段がバーナの燃焼炎を検出したとき、湯沸器の故障要因は、炎検出手段の検出不良であり、ガス開閉弁の閉弁不良では無いと考えられる。そして、点火手段を作動させる前に、炎検出手段がバーナの燃焼炎を検出しなかった場合であって、その後、点火手段を作動させ、水圧応動弁を開弁した後、且つガス開閉弁を開弁させる前に、炎検出手段がバーナの燃焼炎を検出したとき、湯沸器の故障要因は、ガス開閉弁の閉弁不良であると考えられる。なお、点火手段を作動させる前に、炎検出手段にバーナの燃焼炎の有無を検出させるとき、水圧応動弁は開弁、閉弁のいずれの状態であってもよい。
【発明を実施するための最良の形態】
【００１５】
本発明の実施形態に係る湯沸器を、図面を参照して説明する。
【００１６】
本実施形態に係る湯沸器１は、図１に概略全体構成図を示すように、水道と連通した給水管２、終端から湯又は水が吐出する出湯管３、給水管２及び出湯管３に連通した熱交換器４、熱交換器４を加熱するガスバーナ（バーナ）５、ガスバーナ５に燃料ガスを供給するガス供給管６、ガスバーナ５に点火するためのイグナイタ（点火手段）７、ガスバーナ５の燃焼炎の有無を検出するフレームロッド（炎検出手段）８、及び湯沸器１の作動を制御するコントローラ（制御手段）９を備える。
【００１７】
給水管２には、上流側から順に、止水弁１０、水ガバナ弁（水圧受動部）１１、及び水量調整弁１２が設けられている。止水弁１０は、モータ１３の駆動により進退動して給水管２を開閉する。ここでは、モータ１３の駆動に伴い回動するカム１４が設けられており、このカム１４に連繋された止水弁開閉レバー（図示しない）の作動により止水弁１０が進退動し、給水管２を開閉する。水ガバナ弁１１は、水圧を一定にする。水量調節弁１２は、温調つまみ１５の操作に応じて給水管２の開口度合いを制御して給水量を調整する。
【００１８】
ガス供給管６には、上流側から順に、ガス開閉弁１６、水圧応動弁１７、ガスガバナ弁１８、及びガス量調整弁１９が設けられている。ガス開閉弁１６は、モータ１３の駆動により進退動してガス供給管６を開閉する。ここでは、モータ１３の駆動に伴い回動するカム１４に連繋されたガス開閉弁開閉レバー（図示しない）の作動によりガス開閉弁１６が進退動し、ガス供給管６を開閉する。なお、ガス開閉弁１６を開弁状態に保持するマグネットコイル２０が設けられている。マグネットコイル２０は、通電されると、開弁状態にあるガス開閉弁１６を電磁力で吸着して開弁状態にて保持する。マグネットコイル２０は、通電が停止されると、ガス開閉弁１６の吸着を停止する。水圧応動弁１７は、水ガバナ弁１１と機械的に連結されており、水ガバナ弁１１に通水されるとそれに連動するダイヤフラム機構により開弁する。水圧応動弁１７には水流スイッチ２１が接続されている。水流スイッチ２１は、水圧応動弁１７が開弁したときに連動してＯＮとなり、閉弁したときに連動してＯＦＦとなる。ガスガバナ弁１８は、二次側のガス圧を一定にする。ガス量調節弁１９は、温調つまみ１５に連結され、温調つまみ１５の操作によりガス供給管６の開口度合いを制御して燃料ガスの供給量を変更する。なお、温調つまみ１５を高温側へ操作する程、水量は減少し、ガス量は増加する。
【００１９】
湯沸器１は、さらに、給湯開始及び給湯停止時に使用者により押圧操作される給湯スイッチ２２、ガスバーナ５の燃焼時に点灯する燃焼ランプ２３、及び湯沸器１の故障時に点灯する故障ランプ２４を備えている。
【００２０】
コントローラ９は、図２にそのブロック図を示すように、マイクロコンピュータ２５、モータ１３を駆動するモータ駆動回路２６、イグナイタ７を作動するイグナイタ回路２７、マグネットコイル２０に通電してガス開閉弁１６を開弁状態に保持するガス開閉弁開弁保持回路２８、フレームロッド８を作動するフレームロッド回路２９、ランプ２３，２４を作動させるランプ点灯回路３０等を備えている。なお、コントローラ９をはじめモータ１３、マグネットコイル２０等の作動用電源として電源電池３１が用いられている。
【００２１】
マイクロコンピュータ２５は、運転制御部３２、炎検出部３３、及びタイマ３４を備えている。
【００２２】
運転制御部３２は、給湯スイッチ２２のＯＮ／ＯＦＦを判別して、各回路２６〜３０の制御を行う。運転制御部３２は、給湯スイッチ２２がＯＮされたとき、モータ駆動回路２６に通電してモータ１３の駆動を開始させると共に、タイマ３４をスタートさせる。モータ１３の駆動に伴いカム１４が回動することにより、止水弁１０、水圧応動弁１７、及びガス開閉弁１６が順次開弁する。そして、これら弁の開弁のタイミングに応じて、イグナイタ回路２７、ガス開閉弁開弁保持回路２８、及びフレームロッド回路２９を介して、イグナイタ７、フレームロッド８、及びマグネットコイル２０を順次所定のタイミングで作動させる。水圧応動弁１７の開弁は、水流スイッチ２１がＯＮになったことにより判断する。また、運転制御部３２は、ガスバーナ５が燃焼すべきでないときに、炎検出部３３がガスバーナ５の燃焼炎を検出したとき、初期状態に戻して、その後の運転を停止する。
【００２３】
炎検出部３３は、フレームロッド回路２９の出力に基づいてガスバーナ５の燃焼炎の有無を検出する。
【００２４】
次に、運転制御部３２における各部の作動タイミングを、図３に示すタイミングチャートを参照して説明する。なお、運転制御部３２における各部の作動は、給湯スイッチ２２がＯＮされたときに計時を開始するタイマ３４の計時に連動して行われる。給湯スイッチ２２がＯＦＦの時、すなわち停止状態の時、カム１４は、止水弁１０とガス開閉弁１６とが共に閉弁状態となる停止位置に存する。給湯スイッチ２２がＯＮされると、モータ１３の駆動が開始され、これに伴いカム１４が回動する。このカム１４の回動により、まず、止水弁１０が徐々に開かれる。そして、イグナイタ７をＯＮ作動させる。止水弁１０が開弁されることにより、給水管２に水道から水が供給されて、水ガバナ弁１１に通水され、水圧応動弁１７が開弁する。なお、図３においては、水圧応動弁１７の開弁は、イグナイタ７のＯＮ作動よりタイミング的に先であるが、後又は同時であってもよい。イグナイタ７をＯＮ作動させ且つ水圧応動弁１７を開弁させた後、第１の所定時間Ｔ１、例えば０．５秒経過するまでフレームロッド８を作動させて、ガスバーナ５の燃焼炎の有無を検出する。なお、水圧応動弁１７の開弁は、水流スイッチ２１がＯＮになったことにより判断する。その後も、カム１４は回動を続け、ガス開閉弁１６を開弁する。これと共に、マグネットコイル２０に通電を行い、ガス開閉弁１６を開弁状態に保持する。また、ガス開閉弁１６を開弁させた後、ガスバーナ５の燃焼炎を検出するまでフレームロッド８を作動させる。そして、モータ１３の駆動を停止させ、止水弁１０とガス開閉弁１６とが共に開弁状態となる給湯位置でカム１４が停止する。なお、ガス開閉弁１６を開弁させた後、第２の所定時間Ｔ２、例えば１秒を経過しても、フレームロッド８がガスバーナ５の燃焼炎を検出しないときには、着火失敗であると判断して、モータ１３を駆動させて、停止位置に戻るまでカム１４を回動させる。
【００２５】
その後、給湯スイッチ２２がＯＦＦされたとき、モータ１３の駆動が再開され、これに伴いカム１４の回動も再開する。カム１４は止水弁１０とガス開閉弁１６とが共に閉弁状態となる停止位置に戻るまで回動し、この停止位置でカム１４が停止するようにモータ１３は駆動を停止する。また、モータ１３の駆動再開と共に、イグナイタ７をＯＦＦして、マグネットコイル２０への通電を停止する。
【００２６】
次に、コントローラ９による湯沸器１の制御動作について、図４及び図５のフローチャートを参照して、説明する。
【００２７】
使用者が給湯スイッチ２２をＯＮ操作すると（ＳＴＥＰ１：ＹＥＳ）、コントローラ９による湯沸器１の制御動作が開始される。まず、運転制御部３２は、モータ駆動回路２６に通電してモータ１３の駆動を開始させると共に、タイマ３４の計時をスタートさせる（ＳＴＥＰ２）。モータ１３の駆動に伴いカム１４が回動して止水弁１０が開弁されることにより、水ガバナ弁１１に通水され、水圧応動弁１７が開弁する（ＳＴＥＰ３）。水圧応動弁１７の開弁に連動して水流スイッチ２１がＯＮとなる。そして、運転制御部３２は、イグナイタ回路２７を介してイグナイタ７をＯＮ作動させる（ＳＴＥＰ４）。その後、炎検出部３３は、フレームロッド回路２９の出力に基づいてガスバーナ５の燃焼炎の有無を検出する（ＳＴＥＰ５）。イグナイタ７をＯＮ作動させたときから第１の所定時間Ｔ１経過するまで（ＳＴＥＰ６：ＹＥＳ）、炎検出部３３がガスバーナ５の燃焼炎を検出しなかった場合（ＳＴＥＰ５：ＮＯ）、ガス開放弁１６の閉弁不良及びフレームロッド８又はフレームロッド回路２９の検出不良が無いと判断して、運転制御部３２は、モータ１３の駆動を続行する。これにより、カム１４がさらに回動してガス開閉弁１６が開弁され、運転制御部３２は、ガス開閉弁開弁保持回路２８を介して、マグネットコイル２０をＯＮ作動させてガス開閉弁１６を開弁状態に保持する（ＳＴＥＰ７）。ガス開放弁１６の開弁から第２の所定時間Ｔ２経過するまでに（ＳＴＥＰ８：ＮＯ）、炎検出部３３がガスバーナ５の燃焼炎を検出した場合（ＳＴＥＰ９：ＹＥＳ）、正常点火したと判断する。そして、運転制御部３２は、イグナイタ回路２７を介してイグナイタ７をＯＦＦし（ＳＴＥＰ１０）、ランプ点灯回路３０を介して燃焼ランプ２３を点灯させる（ＳＴＥＰ１１）。また、運転制御部３２は、モータ駆動回路２６を介してモータ１３の駆動を停止させて、カム１４を給湯位置で停止させる（ＳＴＥＰ１２）。これにより、給湯が可能となる。
【００２８】
一方、水流スイッチ２１がＯＮとなったときから第１の所定時間Ｔ１経過するまでに（ＳＴＥＰ６：ＮＯ）、炎検出部３３がガスバーナ５の燃焼炎を検出した場合（ＳＴＥＰ５：ＹＥＳ）、湯沸器１に故障が発生したと判断する。ガス開閉弁１６の開弁前であるので、正常であれば、この時点でガスバーナ５の燃焼炎は検出されない。それにも拘わらず、ガスバーナ５の燃焼炎が検出されたので、ガス開閉弁１６の閉弁不良、或いは、フレームロッド８又はフレームロッド回路２９の故障による検出不良が発生したと考えられる。そこで、運転制御部３２は、故障停止動作を行う。具体的には、運転制御部３２は、まず、ランプ点灯回路３０を介して故障ランプ２４を点灯させる（ＳＴＥＰ１３）。そして、運転制御部３２は、イグナイタ回路２７を介してイグナイタ７をＯＦＦする（ＳＴＥＰ１４）と共に、モータ駆動回路２６を介してモータ１３を駆動させて、止水弁１０を閉弁させる。これにより、水圧応動弁１７が閉弁する（ＳＴＥＰ１５）。そして、モータ駆動回路２６を介してモータ１３の駆動を停止させて、カム１４を停止位置で停止させ（ＳＴＥＰ１６）、給湯スイッチ２２をＯＦＦする（ＳＴＥＰ１７）。これにより、湯沸器１は故障停止となる。その後、メンテナンス要員により、故障の修理が行われるまで、湯沸器１は給湯運転が禁止される。
【００２９】
他方、ガス開放弁１６が開弁したときから第２の所定時間Ｔ２経過しても（ＳＴＥＰ８：ＹＥＳ）、炎検出部３３がガスバーナ５の燃焼炎を検出しなかった場合（ＳＴＥＰ９：ＮＯ）、ガスバーナ５の点火に失敗したと判断して、運転制御部３２は、初期復帰動作を行う。具体的には、まず、運転制御部３２は、ガス開閉弁開弁保持回路２８を介してマグネットコイル２０への通電を停止し、モータ駆動回路２６を介してモータ１３の駆動をさせて、ガス開閉弁１６を閉弁させる（ＳＴＥＰ１８）。そして、運転制御部３２は、イグナイタ回路２７を介してイグナイタ７をＯＦＦする（ＳＴＥＰ１９）と共に、モータ駆動回路２６を介してモータ１３の駆動をさせて、止水弁１０を閉弁させる。これにより、水圧応動弁１７が閉弁する（ＳＴＥＰ２０）。そして、モータ駆動回路２６を介してモータ１３の駆動を停止させて、カム１４を停止位置で停止させ（ＳＴＥＰ２１）、給湯スイッチ２２をＯＦＦする（ＳＴＥＰ２２）。その後、給湯スイッチ２２がＯＮ操作されると（ＳＴＥＰ１：ＹＥＳ）、ＳＴＥＰ２以降の動作が再び行われる。
【００３０】
なお、上記した湯沸器１においては、ガス供給管６に設けられたガス開閉弁１６は、モータ１３の駆動により回動するカム１４によってガス供給管６を開閉し、ガス開閉弁１６の開弁状態をマグネットコイル２０への通電により保持する場合について説明した。しかしながら、ガス開閉弁１６は適切なタイミング作動可能であれば、カムによって作動されるものに限定されない。例えば、ガス開閉弁１６として電磁弁を用い、この電磁弁を運転制御部３２が図示しない電磁弁駆動回路を介してその開閉状態を制御してもよい。
【００３１】
また、水圧応動弁１７が開弁し（ＳＴＥＰ３）、且つイグナイタ７をＯＮ作動させた（ＳＴＥＰ４）後に、炎検出部３３にガスバーナ５の燃焼炎の有無を検出させる（ＳＴＥＰ５）場合について説明した。しかしながら、水圧応動弁１７が開弁した後であって、且つイグナイタ７をＯＮ作動させる前にも、炎検出部３３にガスバーナ５の燃焼炎の有無を検出させてもよい。この時点で炎検出部３３がガスバーナ５の燃焼炎を検出した場合、フレームロッド８又はフレームロッド回路２９の検出不良が故障要因であると特定される。そして、この時点で炎検出部３３がガスバーナ５の燃焼炎を検出せず、且つイグナイタ７をＯＮ作動させた後に炎検出部３３がガスバーナ５の燃焼炎を検出した場合、ガス開閉弁１６の閉弁不良が故障要因であると特定させる。このように、故障要因が特定されることにより、修理が容易となる。
【図面の簡単な説明】
【００３２】
【図１】本発明の実施形態に係る湯沸器の概略全体構成図。
【図２】コントローラのブロック図。
【図３】運転制御部における各部の作動タイミングを示すタイミングチャート。
【図４】湯沸器の作動フローチャート。
【図５】湯沸器の作動フローチャート。
【符号の説明】
【００３３】
１…湯沸器、２…給水管、３…出湯管、４…熱交換器、５…ガスバーナ（バーナ）、６…ガス供給管、７…イグナイタ（点火手段）、８…フレームロッド（炎検出手段）、９…コントローラ（制御手段）、１１…水ガバナ弁（水圧受動部）、１３…モータ、１４…カム、１６…ガス開閉弁、１７…水圧応動弁、２０…マグネットコイル、２１…水流スイッチ、２２…給湯スイッチ。
【図１】
2010060197.tif 000003
【図２】
2010060197.tif 000004
【図３】
2010060197.tif 000005
【図４】
2010060197.tif 000006
【図５】
2010060197.tif 000007